(57)【要約】  【課題】  取り回し及び取り付け作業が容易であり、設置後においても階段からの設置高さの制約に適合することができる仮設足場用階段手摺を提供する。  【解決手段】  支柱本体１０３に取り付け部１０４が設けられた支柱１０１と、前記支柱１０１の取り付け部１０４に固定された水平材とを備える仮設足場の前記水平材間に掛け渡される階段１０５と共に使用され、階段取り付け部１０４ａより上方位置において、手摺本体２の両端に上部固定部材１０及び下部部固定部材２０を備えた仮設足場用階段手摺１である。仮設足場用階段手摺１は、上部固定部材１０は、手摺取り付け部１０４ｂと固定可能に構成され、下部固定部材２０は、前記手摺取り付け部１０４ｂよりも上方位置において前記支柱本体１０３に固定可能に構成される。【選択図】  図３
2019031837.tif 000002
【特許請求の範囲】
【請求項１】
支柱本体に所定間隔ごとに取り付け部が設けられた支柱と、前記支柱の取り付け部に固定された水平材とを備える仮設足場の前記水平材間に掛け渡される階段と共に使用され、前記水平材が設けられた階段取り付け部より上方位置において、手摺本体の両端に前記支柱に固定される上部固定部材及び下部部固定部材を備えた仮設足場用階段手摺であって、
前記手摺本体の上端側に位置する上部固定部材は、前記階段取り付け部より上方に位置する取り付け部である手摺取り付け部と固定可能に構成され、
前記手摺本体の下端側に位置する下部固定部材は、前記手摺取り付け部よりも上方位置において前記支柱本体に固定可能に構成されることを特徴とする、仮設足場用階段手摺。
【請求項２】
前記取り付け部は、支柱の周囲に複数の取り付け位置を有するように構成されていることを特徴とする、請求項１に記載の仮設足場用階段手摺。
【請求項３】
前記取り付け部は、前記貫通孔が設けられた板状の部材で構成されたフランジであることを特徴とする、請求項１又は２に記載の仮設足場用階段手摺。
【請求項４】
前記上部固定部材は、前記貫通孔に上側から挿入可能な爪を備えたフック状に構成されていることを特徴とする、請求項２又は３に記載の仮設足場用階段手摺。
【請求項５】
前記下部固定部材は、断面コの字状に構成され、開口部から支柱に嵌入可能に構成された支柱受部と、前記支柱受部の開口部を挟んで対向する側壁に固定され前記開口部を閉塞して前記支柱の脱落を防止する閉塞部材とを備えることを特徴とする、請求項２から４のいずれか１つに記載の仮設足場用階段手摺。
【請求項６】
前記閉塞部材はくさび状部材で構成され、前記側壁に設けられたくさび挿通孔に挿通することで、前記開口部を閉塞することを特徴とする、請求項５に記載の仮設足場用階段手摺。
【請求項７】
前記下部固定部材は、前記手摺本体に設けられた取付部を介して前記手摺本体に回動自在に固定され、前記手摺本体の長さ方向に対して直交する向きに反転可能に設けられていることを特徴とする、請求項１から６のいずれか１つに記載の仮設足場用階段手摺。
【請求項８】
前記取付部は、鉛直方向に伸びる回転軸を備えた水平方向に伸びる互いに平行な１組のフランジを有し、  前記下部固定部材は、前記回転軸により前記フランジと連結する連結部を有することを特徴とする、請求項６に記載の仮設足場用階段手摺。
【請求項９】
前記手摺本体は、棒状に構成されていることを特徴とする、請求項１から８のいずれか１つに記載の仮設足場用階段手摺。
【発明の詳細な説明】
【技術分野】
【０００１】
本発明は、建設作業現場などで用いられる仮設足場において、水平材の間に架け渡される仮設足場用階段に沿って支柱に固定される転落防止用の仮設足場用階段手摺に関する。
【背景技術】
【０００２】
建設作業現場などで用いられる仮設足場１００は、図１７に示すように、複数本の支柱１０１を桁行き方向（建築物の壁面に沿った方向）及びはり間方向（建築物の壁面に垂直な方向）に所定間隔をおいて配置し、桁行き方向に隣接する支柱に鋼管からなる水平材を取り付けた仮設足場を形成し、さらに、はり間方向に隣接する水平材の間に足場板１０２を掛け渡して構成される。ここで支柱は、鋼管からなる支柱本体１０３に一定間隔ごとに取り付け部１０４が設けられており、当該取り付け部１０４に水平材を固定することによって仮設足場用建枠が組み上げられる。
【０００３】
この仮設足場の足場板１０２は、高さ位置を変えて複数階にわたって設けられ、当該異なる足場板１０２の昇降のために、異なる高さの水平材の間に架け渡される階段１０５が使用される。この階段は、側方が空いているため、通常、転落防止用の階段手摺が設けられる。
【０００４】
ところで、このような階段手摺としては、例えば、特許文献１から特許文献４など種々のものが公知となっている。
【０００５】
例えば、特許文献１（特開２００２−９７８００号公報）では、階段を構成する傾斜支柱の側面に手摺枠を直接固定する構成が開示されている。また、特許文献２（特開２００３−１９３６７５号公報）では、階段自体の側桁及び階段に隣接する支柱に階段手摺を固定する構成が開示されている。
【０００６】
一方、特許文献３（特開２０１１−１２２４０１号公報）及び特許文献４（意匠登録第１４４９４３３号公報）では、階段手摺は階段に固定するのではなく、階段に隣接する支柱に固定する構造が開示されている。この構成の階段手摺は、棒状の部材であり、その両端に支柱に設けられた取り付け部１０４の一例としてのフランジに連結するための固定部材を備えた構成となっている。
【０００７】
これらの特許文献３及び４では、階段手摺は、階段が取り付けられた高さに対して１つ又は２つ程度上のフランジに両端の固定部材を固定することによって、階段の側方全長にわたって配置されて、階段側方の空間を封鎖可能な構成となっている。この構成の階段手摺は、特許文献１及び２に記載の階段手摺に較べて軽量で取り回しが容易であり、取り付け作業も両端の固定部材を階段上方のフランジに固定するだけでよいので、階段上で立った状態で行なうことができるので、取り付け作業が容易であるという利点があった。
【先行技術文献】
【特許文献】
【０００８】
【特許文献１】特開２００２−９７８００号公報
【特許文献２】特開２００３−１９３６７５号公報
【特許文献３】特開２０１１−１２２４０１号公報
【特許文献４】意匠登録第１４４９４３３号公報
【発明の概要】
【発明が解決しようとする課題】
【０００９】
しかし、上記特許文献３，４の階段手摺はいずれも、両端の固定部材をフランジに固定するものであるが、支柱本体１０３に設けられているフランジは、一例として４５０ｍｍごと等のように、その設置間隔が決まっている。
【００１０】
また、階段手摺が設けられる高さについては、階段から所定の高さＡ以上（一例としては３００ｍｍ以上）でなければならないとの制約があり、この制約により決められた高さが、フランジの設置間隔により適合しない場合があった。
【００１１】
特に、階段の下端部分では、階段１０５のステップ１０５ａが階段の傾斜支柱１０５ｂよりも上方に突出した状態となるため、階段のステップ１０５ａから階段手摺までの高さＢが上記制約により決められた高さに足りず、上記制約に整合しなという問題が生じる場合があった。
【００１２】
したがって、本発明が解決しようとする技術的課題は、取り回し及び取り付け作業が容易であり、設置後においても階段からの設置高さの制約に適合することができる仮設足場用階段手摺を提供することである。
【課題を解決するための手段】
【００１３】
本発明は、上記技術的課題を解決するために、以下の構成の仮設足場用階段手摺を提供する。
【００１４】
本発明の第１態様によれば、支柱本体に所定間隔ごとに取り付け部が設けられた支柱と、前記支柱の取り付け部に固定された水平材とを備える仮設足場の前記水平材間に掛け渡される階段と共に使用され、前記水平材が設けられた階段取り付け部より上方位置において、手摺本体の両端に前記支柱に固定される上部固定部材及び下部部固定部材を備えた仮設足場用階段手摺であって、
前記手摺本体の上端側に位置する上部固定部材は、前記階段取り付け部より上方に位置する取り付け部である手摺取り付け部と固定可能に構成され、
前記手摺本体の下端側に位置する下部固定部材は、前記手摺取り付け部よりも上方位置において前記支柱本体に固定可能に構成されることを特徴とする、仮設足場用階段手摺を提供する。
【００１５】
本発明の第２態様によれば、前記取り付け部は、支柱の周囲に複数の取り付け位置を有するように構成されていることを特徴とする、第１態様の仮設足場用階段手摺を提供する。
【００１６】
本発明の第３態様によれば、前記取り付け部は、前記貫通孔が設けられた板状の部材で構成されたフランジであることを特徴とする、第１又は第２態様の仮設足場用階段手摺を提供する。
【００１７】
本発明の第４態様によれば、前記上部固定部材は、前記貫通孔に上側から挿入可能な爪を備えたフック状に構成されていることを特徴とする、第２又は第３態様の仮設足場用階段手摺を提供する。
【００１８】
本発明の第５態様によれば、前記下部固定部材は、断面コの字状に構成され、開口部から支柱に嵌入可能に構成された支柱受部と、前記支柱受部の開口部を挟んで対向する側壁に固定され前記開口部を閉塞して前記支柱の脱落を防止する閉塞部材とを備えることを特徴とする、第２から第４態様のいずれか１つの足場板を提供する。
【００１９】
本発明の第６態様によれば、前記閉塞部材はくさび状部材で構成され、前記側壁に設けられたくさび挿通孔に挿通することで、前記開口部を閉塞することを特徴とする、第５態様の仮設足場用階段手摺を提供する。
【００２０】
本発明の第７態様によれば、前記下部固定部材は、前記手摺本体に設けられた取付部を介して前記手摺本体に回動自在に固定され、前記手摺本体の長さ方向に対して直交する向きに反転可能に設けられていることを特徴とする、第１から第６態様のいずれか１つの仮設足場用階段手摺を提供する。
【００２１】
本発明の第８態様によれば、前記取付部は、鉛直方向に伸びる回転軸を備えた水平方向に伸びる互いに平行な１組のフランジを有し、
前記下部固定部材は、前記回転軸により前記フランジと連結する連結部を有することを特徴とする、第６態様の仮設足場用階段手摺を提供する。
【００２２】
本発明の第９態様によれば、前記手摺本体は、棒状に構成されていることを特徴とする、第１から第８態様のいずれか１つの仮設足場用階段手摺を提供する。
【発明の効果】
【００２３】
本発明によれば、仮設足場用階段手摺は、手摺本体の下端側に位置する下部固定部材は、前記手摺取り付け部よりも上方位置において前記支柱本体に固定するため、階段からの設置高さを十分に確保することができ、ステップなど上方に突出した部位からの高さを手摺設置高さの制約を満たすように取り付けることができる。
【図面の簡単な説明】
【００２４】
【図１】本発明の第１実施形態にかかる仮設足場用階段手摺を仮設足場に取り付けた状態を示す図である。
【図２】仮設足場に使用される支柱の部分拡大斜視図である。
【図３】図１の仮設足場用階段手摺の固定部材と支柱との連結の状態を示す部分拡大斜視図である。
【図４】図１の仮設足場用階段手摺の固定部材と支柱との連結の状態を別角度から見た状態を示す部分拡大斜視図である。
【図５】図１の仮設足場用階段手摺の上側固定部材の構成を示す拡大斜視図である。
【図６】図１の仮設足場用階段手摺の上側固定部材と支柱との連結の状態を示す部分拡大平面図である。
【図７】図１の仮設足場用階段手摺の下側固定部材の構成を示す拡大斜視図である。
【図８】図１の仮設足場用階段手摺の下側固定部材の構成を示す別角度から見た状態を示す拡大斜視図である。
【図９】図１の仮設足場用階段手摺の下側固定部材と支柱との連結の状態を示す部分拡大平面図である。
【図１０】本発明の仮設足場用階段手摺を取り付ける仮設足場に使用される他の構成の支柱の部分拡大斜視図である。
【図１１】本発明の第２実施形態にかかる仮設足場用階段手摺を仮設足場に取り付けた状態を示す図である。
【図１２】図１１の仮設足場用階段手摺の上側固定部材の構成を示す拡大斜視図である。
【図１３】図１１の仮設足場用階段手摺の下側固定部材の構成を示す拡大斜視図である。
【図１４】図１１の仮設足場用階段手摺の下側固定部材が手摺本体からみて一方の側方に向いている状態を示す拡大斜視図である。
【図１５】図１１の仮設足場用階段手摺の下側固定部材が手摺本体からみて他方側の側方に向いている状態を示す拡大斜視図である。
【図１６】図１１の仮設足場用階段手摺が階段に対して取り付けられる位置を示す平面図である。
【図１７】足場板を取り付ける仮設足場用建枠の構成を説明する斜視図である。
【発明を実施するための形態】
【００２５】
以下、本発明の各実施形態に係る足場板について、図面を参照しながら説明する。
【００２６】
（第１実施形態）
図１は、本発明の第１実施形態にかかる仮設足場用階段手摺を仮設足場に取り付けた状態を示す図である。本実施形態にかかる仮設足場用階段手摺１は、仮設足場１００の図示しない水平材間に架け渡される階段とともに用いられる。仮設足場１００は、図１に示すように、建築物の外周に沿って、所定間隔ごとに複数列に立設された複数の支柱１０１と、支柱の間に架設された水平材とで構成される。
【００２７】
支柱１０１は、長さ方向に複数本を連結して用いることができる。支柱１０１は、例えば、直径４５ｍｍ程度の金属パイプによって構成された支柱本体１０３に、一定間隔ごと例えば、本実施形態では４５ｃｍごとに設けられた取り付け部の一例としてのフランジ１０４が設けられている。フランジ１０４は、取り付け部の一例に相当するものであり、図２に示すように、支柱本体１０３の周囲に４か所に貫通孔１０６を有する板状の部材である。支柱本体１０３に設けられる各フランジ１０４は、取り付け位置にかかわらず、いずれも同じ構造を有するが、本実施形態では、階段が係止され水平材が固定されるフランジを階段フランジ１０４ａ、階段フランジ１０４ａよりも上方に位置し、階段手摺が連結されるフランジを手摺フランジ１０４ｂとし、その取り付け位置において名称を区別する。なお、階段フランジ１０４ａは、階段取り付け部の一例に相当するものであり、手摺フランジ１０４ｂは、手摺取り付け部の一例に相当する。
【００２８】
仮設足場１００に設けられる階段１０５は、高さが異なる２つの水平材の間に斜め方向に架け渡される。階段１０５は、支柱１０１間の距離において、高さが異なる２つの水平材に係合できるように、両端に設けられた係止フック１０５ｃ、１０５ｄ間の距離が決められており、本実施形態では、上側の係止フック１０５ｄは、下側の係止フック１０５ｃから４つ上（１８０ｃｍ上方）の階段フランジ１０４ａの高さに係止する。
【００２９】
仮設足場用階段手摺１は、階段１０５に沿って互いに略平行になるように斜めに支柱１０１に固定される。仮設足場用階段手摺１は、手摺本体２と手摺フランジ１０４ｂに連結する上部固定部材１０と、支柱本体１０３に固定される下部固定部材２０とを備えている。
【００３０】
手摺本体２は、所定間隔Ｃに配置された支柱間に階段１０５に沿って斜めに配置可能な長さを有する棒状部材であり、本実施形態では、上述したように階段フランジ１０４ａよりも１８０ｃｍ上方の手摺フランジ１０４ｂ間よりわずかに短く構成されている。
【００３１】
手摺本体２は、金属製の円筒パイプなどを用いることができ、両端に上部固定部材１０と下部固定部材２０とを取り付けるための取り付け部３、４が設けられている。取り付け部３、４は上部固定部材１０と下部固定部材２０の取り付け方向を固定するために、側面が平面形状となるように構成されており、円筒パイプの端部を変形又は別部材を溶接などすることにより設けられる。
【００３２】
上部固定部材１０は、図３，４に示すように、手摺フランジ１０４ｂの貫通孔１０６に先端部分を挿通させることで、手摺フランジ１０４ｂと係止する。先端を挿通させる貫通孔１０６は、支柱に対して階段１０５が設けられている側、すなわち、係止される２つの支柱１０１に対して内側の貫通孔１０６ａ（水平材が架設される２つの支柱に対して互いに対向する側の貫通孔１０６ａ）が好ましいが、外側の貫通孔１０６ｂや、階段が架設される支柱に対して対向する側に位置する貫通孔１０６ｃであってもよい。
【００３３】
下部固定部材２０は、手摺フランジ１０４ｂの上方位置において支柱本体１０３に固定される。手摺フランジ１０４ｂからの距離は特に限定されるものではなく、手摺本体２の長さに応じて適宜決定すればよいが、本実施形態では、手摺フランジ１０４ｂから約１０ｃｍ程度上方位置で固定される。なお、後述するように、下部固定部材２０の支柱本体１０３への固定は、上部固定部材１０の固定後に行われる。
【００３４】
上部固定部材１０は、図５に示すように、板状に構成されたフック部材１１で構成され、その後端が取り付け部３内に挿入された状態で手摺本体２と溶接又は図示しないピンなどの部材を介して固定される。なお、本実施形態では、上部固定部材１０と手摺本体２と取り付け角度は固定されている。ただし、両者の取り付け角度は、所定範囲の角度範囲内で可変可能であってもよい。
【００３５】
フック部材１１の先端には、手摺フランジ１０４ｂの貫通孔１０６に挿入するための下側に延びる係止フック１２が設けられ、係止フック１２の先端１３は脱落防止のために、手摺本体２側に湾曲して配置されている。また、フック部材１１の下縁１４は、手摺フランジ１０４ｂの上面に沿うように、支柱固定時に水平方向となるように角度調整されている。
【００３６】
上部固定部材１０は、仮設足場用階段手摺１の支柱への取り付けにおいて、最初に固定される。具体的には、上部固定部材１０を手摺フランジ１０４ｂへの取り付けたのち、下部固定部材２０を支柱本体１０３に固定する。上部固定部材１０の手摺フランジ１０４ｂへの取り付けは、係止フック１２の先端１３が貫通孔１０６に挿入可能な角度に仮設足場用階段手摺１を立てた状態に支持し、係止フック１２を貫通孔１０６に挿入する。その後、後述する下部固定部材２０を取り付けするために、係止フック１２を支点として仮設足場用階段手摺１を寝かす方向に回動させることで、上部固定部材１０の係止フック１２の先端１３が貫通孔１０６の周縁部分に引っかかり、上部固定部材１０が上方へ抜けにくくなる。
【００３７】
下部固定部材２０は、図７，図８に示すように、支柱に嵌入可能に構成された支柱受部２１と、支柱受部２１の開口部２４を閉塞するくさび部材２５とを備えている。
【００３８】
支柱受部２１は、手摺本体２の取付部４に固定される。本実施形態では、支柱受け部と手摺本体２との取り付け角度は一定となるように固定されているが、角度変更可能に設けられていてもよい。
【００３９】
支柱受部２１は、手摺本体２の取付部４に固定される中間壁２３と中間壁２３の両端に設けられた互いに対向する側壁２２ａ，２２ｂとを備えた断面略コの字状に構成されている。側壁２２ａ，２２ｂの間は、支柱本体１０３を収納可能な開口部２４となっている。
【００４０】
本実施形態では、上部固定部材１０を内側の貫通孔１０６ａに取り付ける構成であるため、開口部２４は、外側に開口するように構成されている。すなわち、開口部２４の開口方向によって、本実施形態にかかる仮設足場用階段手摺１の仮設足場１００への支柱１０１に対する取り付け位置を決めればよい。
【００４１】
側壁２２ａ，２２ｂ間の開口部２４は、図９に示すように、開口部２４内に収容される支柱本体１０３の外径寸法と略等しく構成される。また、側壁２２ｂは、開口側が外側に広がるように屈曲して設けられた逃がし部２２ｃが設けられている。
【００４２】
くさび部材２５は、側壁２２ａ，２２ｂにそれぞれ設けられたくさび通し孔２６ａ，２６ｂに挿通することで、開口部２４を閉塞する。くさび部材２５は、先に向かうにつれて細くなるように構成されたくさび本体２５の先端部位に抜け止め用の先端突起２５ｂを備えている。
【００４３】
側壁２２ａに設けられたくさび通し孔２６ａは、くさび部材２５の先端突起２５ｂが通過可能な大きさに構成されている。一方、他方の側壁２２ｂに設けられたくさび通し孔２６ｂは、くさび本体２５は挿通可能であるが、先端突起２５ｂは挿通できないような大きさに構成されている。したがって、くさび部材２５ａは、図８に示すように、開口部２４を閉塞しない場合は、側壁２２ｂに支持されたように配置され、その先端部分は、逃がし部２２ｃ内に配置されて、支柱本体１０３の開口部２４への収容時に干渉しないようになっている。
【００４４】
下部固定部材２０の支柱本体１０３への取り付けは、上記のように、上部固定部材１０を手摺フランジ１０４ｂに係止させた後に行われる。前提作業として、くさび部材２５を図８に示す開放位置に移動させ、上部固定部材１０を手摺フランジ１０４ｂに係止させる。その後、上部固定部材１０を支点として、下端部分が支柱本体１０３に当接する方向に仮設足場用階段手摺１を移動させ、支柱１０１の内側方向から下部固定部材２０の開口部２４内に支柱本体１０３を嵌め込む。上記のように、下部固定部材２０が係止する支柱本体１０３の位置は、手摺フランジ１０４ｂのやや上方となるように、手摺本体２の長さ寸法や、支柱受部２１と手摺本体２との固定角度が設計されている。
【００４５】
開口部２４に支柱本体１０３を嵌め込んだ後、くさび部材２５を側壁２２ａのくさび通し孔２６ａに挿通させ、開口部２４を閉塞して、支柱本体１０３が開口部２４から脱落しないように固定する（図９参照）。なお、側壁２２ａのくさび通し孔２６ａは、挿入されたクサビ部材２５の振動などによる脱落を防止するために、他方の側壁２２ｂに設けられたくさび通し孔２６ｂよりも下方位置に設けられている。
【００４６】
このように仮設足場１００に取り付けられた本実施形態にかかる仮設足場用階段手摺１は、図１に示すように、階段１０５に沿ってほぼ並行になるように固定される。また、その支柱１０３への取り付け位置は、上側の上部固定部材１０を手摺フランジ１０４ｂに係止させ、下側の下部固定部材２０を手摺フランジ１０４ｂの上方となるように固定されているため、階段１０５から仮設足場用階段手摺１までの高さは、上端側端部（図示符号Ｄ）でも下端側のステップ１０５ｃ（図示符号Ｅ）でも十分に確保することができ、ステップなど上方に突出した部位からの高さを手摺設置高さの制約を満たすことができる。
【００４７】
また、上部固定部材１０はフランジの貫通孔１０６にフック部材１１を係止し、下部固定部材２０は、開口に支柱本体を嵌入させてくさび部材２５で固定するだけであるので、取り付けが容易であり、また、仮設足場１００の足場板１０２などから立った状態で取り付けることができ、楽な姿勢で取り付け作業を行なうことができ、取り回しが容易である。
【００４８】
また、本実施形態にかかる仮設足場用階段手摺１は、上部固定部材１０と下部固定部材２０の取り付け位置が異なる。このため、上部固定部材１０が取り付けられている手摺フランジ１０４ｂは、別の仮設足場用階段手摺１の下部固定部材２０の固定には使用することがない。よって、図３に示すように、１つの支柱１０１連続して２つの同じ構成の仮設足場用階段手摺１を固定することができる。
【００４９】
（第２実施形態）
図１１は、本発明の第２実施形態にかかる仮設足場用階段手摺を仮設足場に取り付けた状態を示す図である。本実施形態にかかる階段手摺３１が用いられる仮設足場１００は、第１実施形態における仮設足場と同様のものが用いられる。
【００５０】
仮設足場用階段手摺３１は、階段１０５に沿って互いに略平行になるように斜めに支柱１０１に固定される。仮設足場用階段手摺３１は、手摺本体３２と手摺フランジ１０４ｂに連結する上部固定部材４０と、支柱本体１０３に固定される下部固定部材５０とを備えている。
【００５１】
手摺本体３２は、所定間隔Ｃに配置された支柱間に階段１０５に沿って斜めに配置可能な長さを有する枠状の部材である。手摺本体３２は、上下に互いに平行に配置された斜材３２ａ，３２ｂと支柱に沿って伸びる連結材３２ｃ，３２ｄとで枠状に構成されている。このような枠状の手摺本体３２を使用することにより、一度の取り付け作業で複数の高さに配置される階段手摺とすることができる。
【００５２】
手摺本体３２は、金属製の円筒パイプなどを用いることができ、下側の連結材３２ｄには、下部固定部材５０を取り付けるための取り付け部３４が設けられている。
【００５３】
図１２に示すように、上端の連結材３２ｃには上部固定部材４０が直接溶接されている。上部固定部材４０は、第１実施形態にかかる上部固定部材１０と略同じ構成となっている。
【００５４】
一方、図１３に示すように、下側の連結材３２ｄに設けられている取付部３３は、下部固定部材の開口の向きを変更可能とするために略水平方向に伸びる互いに平行な１組のフランジ３４を有するコの字状部材として構成されている。取付部３３は、下部固定部材５０に設けられている連結部５７と連結し、下部固定部材５０を固定する。下側の取付部３３と下部固定部材５０の取付部５７は、ピンなどにより回動可能に連結されており、後述するように、階段手摺３０の取り付け方向により、下部固定部５０の向きを変更可能となっている。
【００５５】
上部固定部材１０は、図１２に示すように、手摺フランジ１０４ｂの貫通孔１０６に先端部分を挿通させることで、手摺フランジ１０４ｂと係止する。先端を挿通させる貫通孔１０６は、図１６に示すように、支柱に対して階段１０５が設けられている側、すなわち、係止される２つの支柱１０１に対して内側の貫通孔１０６ａ（水平材１０７が架設される２つの支柱に対して互いに対向する側の貫通孔１０６ａ）が階階段１０５との距離が短くなるため好ましい。ただし、外側の貫通孔１０６ｂであってもよい。
【００５６】
下部固定部材５０は、手摺フランジ１０４ｂの上方位置において支柱本体１０３に固定される。手摺フランジ１０４ｂからの距離は特に限定されるものではない。なお、後述するように、下部固定部材５０は、手摺フランジ１０４ｂにおける取り付け位置に応じてその向きを前記手摺本体の長さ方向に対して直交する向き、すなわち、手摺本体の長さ方向に対して左右側方に反転可能となっている。
【００５７】
下部固定部材２０は、手摺フランジ１０４ｂの上方位置において支柱本体１０３に固定される。手摺フランジ１０４ｂからの距離は特に限定されるものではなく、手摺本体２の長さに応じて適宜決定すればよいが、本実施形態では、手摺フランジ１０４ｂから約１０ｃｍ程度上方位置で固定される。
【００５８】
下部固定部材５０は、図１３から図１５に示すように、支柱に嵌入可能に構成された支柱受部５１と、支柱受部５１の開口部５４を閉塞するくさび部材５５と、下側の取付部３３と鉛直方向に延びる軸周りに回動自在に連結する連結部５７を備えている。
【００５９】
連結部５７は、手摺本体３２の取付部３３を上下方向に挟むように設けられた一対のフランジ形状に構成され、手摺本体３２の取付部３３に対して、鉛直軸周りに回動自在に連結する。本実施形態では、支柱受け部と手摺本体３２との水平軸周りの取り付け角度は一定となるように固定されている。
【００６０】
支柱受部５１は、図１４に示すように、連結部５７と接続する中間壁５３と中間壁５３の両端に設けられた互いに対向する側壁５２ａ，５２ｂとを備えた断面略コの字状に構成されている。側壁５２ａ，５２ｂの間は、支柱本体１０３を収納可能な開口部５４となっている。
【００６１】
本実施形態では、上部固定部材４０を階段１０５に近い内側の貫通孔１０６ａに取り付けるため、下部固定部材５０の開口部５４は、階段に対して外側に開口する向きとなっている。一方、取り付ける貫通孔の位置を変更する場合、あるいは、階段の傾斜方向を反対とした場合は、開口部２４の開口方向を逆にすることが好ましい。この場合は、図１５に示すように、開口部５４が他方側へ向くように下部固定部材５０の向きを変えることができる。
【００６２】
側壁５２ａ，５２ｂ間の開口部５４は、図１３に示すように、開口部５４内に収容される支柱本体１０３の外径寸法と略等しく構成される。また、側壁５２ｂは、開口側が外側に広がるように屈曲して設けられた逃がし部５２ｃが設けられている。
【００６３】
くさび部材５５は、側壁５２ａ，５２ｂにそれぞれ設けられたくさび通し孔５６ａ，５６ｂに挿通することで、開口部５４を閉塞する。くさび部材５５は、先に向かうにつれて細くなるように構成されたくさび本体５５の先端部位に抜け止め用の先端突起５５ｂを備えている。
【００６４】
側壁５２ａに設けられたくさび通し孔５６ａは、くさび部材５５の先端突起５５ｂが通過可能な大きさに構成されている。一方、他方の側壁５２ｂに設けられたくさび通し孔５６ｂは、くさび本体５５は挿通可能であるが、先端突起５５ｂは挿通できないような大きさに構成されている。したがって、くさび部材５５ａは、開口部５４を閉塞しない場合は、側壁５２ｂに支持されたように配置され、その先端部分は、逃がし部２２ｃ内に配置されて、支柱本体１０３の開口部５４への収容時に干渉しないようになっている。
【００６５】
下部固定部材５０の支柱本体１０３への取り付けは、実施形態１と同様に、上部固定部材１０を手摺フランジ１０４ｂに係止させた後に行われる。
【００６６】
本発明の各実施形態にかかる足場板によれば、手摺本体２の下端側に位置する下部固定部材２０は、前記手摺フランジ１０４ｂよりも上方位置において支柱本体１０３に固定するため、階段１０５からの設置高さを十分に確保することができ、ステップなど上方に突出した部位からの高さを手摺設置高さの制約を満たすように取り付けることができる。
【００６７】
なお、本発明は上記実施形態に限定されるものではなく、その他種々の態様で実施可能である。例えば、上記実施形態では、支柱の取り付け部としてフランジが用いられている支柱を例としているが、図１０に示すように、いわゆるコマ１１４を取り付け部として使用する支柱１１３にも適用することができる。なお、この場合は、コマ１１４の孔１１６に嵌入する上部固定部材１０の構成をコマの形状に合わせて適宜設計することが好ましい。
【００６８】
また、下部固定部材の向きを反転させる機構としては、第２実施形態の図１３などに記載した構成に限定されるものではない。また、第１実施形態の階段手摺に、図１３などの機構を採用して、反転可能に構成することも可能である。
【００６９】
さらに、下部固定部材２０と支柱本体１０３との脱落防止のための閉塞部材の一例として、本実施形態ではくさび部材２５を使用しているが、閉塞部材の構成はこれに限定されるものではない。例えば、互いに対向する側壁２２ａ，２２ｂの間の支柱受部２１の開口部２４を閉塞することができる部材、例えば、側壁２２ａ，２２ｂから開口部２４側へ突出し進退可能な突起部材なども用いることができ、その構成は特に問うものではない。
【符号の説明】
【００７０】
１，３１  仮設足場用階段手摺
２，３２  手摺本体
３，３３  取り付け部
４，３４  取り付け部
１０，４０  上部固定部材
１１  フック部材
１２  係止フック
１３  係止フック先端
１４  フック部材下縁
２０，５０  下部固定部材
２１  支柱受部
２２ａ，２２ｂ，５２ａ，５２ｂ  側壁
２３，５３  中間壁
２４，５４  開口部
２５，５５  くさび部材
２５ａ，５５ａ  くさび本体
２５ｂ，５５ｂ  先端突起
２６ａ，２６ｂ，５６ａ，５６ｂ  くさび通し孔
５７  固定部
１００  仮設足場
１０１  支柱
１０２  足場板
１０３，１１３  支柱本体
１０４  フランジ
１０４ａ  階段フランジ
１０４ｂ  手摺フランジ
１０５  階段
１０７  水平材
１１４  コマ
【図１】
2019031837.tif 000003
【図２】
2019031837.tif 000004
【図３】
2019031837.tif 000005
【図４】
2019031837.tif 000006
【図５】
2019031837.tif 000007
【図６】
2019031837.tif 000008
【図７】
2019031837.tif 000009
【図８】
2019031837.tif 000010
【図９】
2019031837.tif 000011
【図１０】
2019031837.tif 000012
【図１１】
2019031837.tif 000013
【図１２】
2019031837.tif 000014
【図１３】
2019031837.tif 000015
【図１４】
2019031837.tif 000016
【図１５】
2019031837.tif 000017
【図１６】
2019031837.tif 000018
【図１７】
2019031837.tif 000019